(57)【要約】  第１運転領域Ａから第２運転領域Ｂに運転状態が切り替わる場合、吸気弁及び排気弁のバルブタイミングは、第１運転領域Ａから第２運転領域Ｂに運転状態が切り替わるタイミングで切り替える。第１運転領域Ａから第２運転領域Ｂに運転状態が切り替わる場合、空燃比は、吸気弁の実際のバルブタイミングが第２吸気バルブタイミングになるとともに、排気弁の実際のバルブタイミングが第２排気バルブタイミングとなってから第１所定時間Ｔ１が経過した後に切り替える。これによって、運転状態が切り替わる際に、確実に着火させることが可能となる。
2019142226.tif 000002
【特許請求の範囲】
【請求項１】
所定の空燃比で運転する第１運転領域では、排気弁のバルブタイミングが第１排気バルブタイミングに設定され、
所定の空燃比よりも希薄な空燃比で運転する第２運転領域では、上記排気弁のバルブタイミングが上記第１排気バルブタイミングよりも進角した第２排気バルブタイミングに設定され、
上記第１運転領域から上記第２運転領域に運転状態が切り替わる際には、上記排気弁の実際のバルブタイミングが上記第２排気バルブタイミングとなってから空燃比を切り替える内燃機関の制御方法。
【請求項２】
上記第１運転領域では、吸気弁のバルブタイミングが第１吸気バルブタイミングに設定され、
上記第２運転領域では、上記吸気弁のバルブタイミングが上記第１吸気バルブタイミングよりも進角した第２吸気バルブタイミングに設定され、
上記第１運転領域から上記第２運転領域に運転状態が切り替わる際には、さらに、上記吸気弁の実際のバルブタイミングが上記第２吸気バルブタイミングになってから空燃比を切り替える請求項１に記載の内燃機関の制御方法。
【請求項３】
上記第２吸気バルブタイミングにおける吸気弁開時期は、上死点よりも進角側となるタイミングとなるよう設定される請求項２に記載の内燃機関の制御方法。
【請求項４】
上記第２排気バルブタイミングにおける排気弁閉時期は、上死点から上死点後１０°ＣＡ以下の範囲に設定される請求項１〜３のいずれかに記載の内燃機関の制御方法。
【請求項５】
上記第２運転領域から上記第１運転領域に運転状態が切り替わる際には、空燃比を上記所定の空燃比に切り替えた後に、上記排気弁のバルブタイミングを上記第１排気バルブタイミングに切り替える請求項１〜４のいずれかに記載の内燃機関の制御方法。
【請求項６】
上記第２運転領域から上記第１運転領域に運転状態が切り替わる際には、空燃比を上記所定の空燃比に切り替えた後に、上記排気弁のバルブタイミングを上記第１排気バルブタイミングに切り替え、吸気弁のバルブタイミングを上記第１運転領域で設定される第１吸気バルブタイミングに切り替える請求項１〜４のいずれかに記載の内燃機関の制御方法。
【請求項７】
排気弁のバルブタイミングを変更可能な排気側可変動弁機構と、
上記排気弁のバルブタイミングを検出可能な排気バルブタイミング検出部と、
上記排気弁のバルブタイミングと空燃比を運転状態に応じて切り替える制御部と、を有し、
上記制御部は、所定の空燃比で運転する第１運転領域から所定の空燃比よりも希薄な空燃比で運転する第２運転領域に運転状態が切り替わる際には、上記排気弁の実際のバルブタイミングが上記第２運転領域で設定される第２排気バルブタイミングになってから空燃比を切り替える内燃機関の制御装置。
【発明の詳細な説明】
【技術分野】
【０００１】
本発明は、内燃機関の制御方法及び内燃機関の制御装置に関する。
【背景技術】
【０００２】
例えば、特許文献１には、吸気弁開弁期間と排気弁開弁期間とが重なり合うバルブオーバーラップの期間（バルブオーバーラップ量）と内部ＥＧＲ（残留ガス）との相関に着目して空燃比制御を行い、空燃比を切り替える際の燃焼安定性の低下を抑制する技術が開示されている。【０００３】
特許文献１では、空燃比を理論空燃比または理論空燃比より濃い混合気から理論空燃比よりも薄い混合気で燃焼させるリーン燃焼制御に切り替える際に、実際のバルブオーバーラップ量がリーン燃焼時のバルブオーバーラップ量の目標値に対してある程度収束するまでリーン燃焼を禁止している。【０００４】
しかしながら、バルブオーバーラップ量の制御のみでは、空燃比が切り替わる際に内部ＥＧＲ（残留ガス）を抑制することは困難であり、場合によっては内部ＥＧＲの増加により、点火しても混合気が着火しにくい状況が発生し得る。【０００５】
つまり、空燃比が切り替えられる燃焼モードの切り替え時の制御には、燃焼安定性を向上させる上で、更なる改善の余地がある。
【先行技術文献】
【特許文献】
【０００６】
【特許文献１】特開平１１−２８０５０５号公報
【発明の概要】
【０００７】
本発明の内燃機関は、所定の空燃比で運転する第１運転領域から上記所定の空燃比よりも希薄な空燃比で運転する第２運転領域に運転状態が切り替わる際には、排気弁の実際のバルブタイミングが上記第２運転領域において設定される第２排気バルブタイミングとなってから空燃比を切り替える。
【０００８】
これによって、運転状態が切り替わる際に、確実に着火させることが可能となる。そのため、失火することなく機能信頼性を確保でき、排気性能及び燃費性能の改善を図ることができる。
【図面の簡単な説明】
【０００９】
【図１】本発明に係る内燃機関の概略構成を模式的に示した説明図。
【図２】空燃比の算出に使用するマップの概略を示す説明図。
【図３】排気弁閉時期と内部ＥＧＲの相関を模式的に示した説明図。
【図４】空燃比の切り替えを説明するタイミングチャート。
【図５】本発明に係る内燃機関の制御の流れを示すフローチャート。
【発明を実施するための形態】
【００１０】
以下、本発明の一実施例を図面に基づいて詳細に説明する。
【００１１】
図１は、本発明に係る内燃機関１の概略構成を模式的に示した説明図である。
【００１２】
内燃機関１は、複リンク式のピストンクランク機構を利用した可変圧縮比機構２を備えた４ストロークサイクルの火花点火式機関であって、駆動源として自動車等の車両に搭載されるものである。
【００１３】
可変圧縮比機構２は、例えば特開２００４−１１６４３４号公報等に記載された公知の複リンク式ピストンクランク機構を利用したものである。
【００１４】
内燃機関１は、駆動源として自動車等の車両に搭載されるものであって、吸気通路３と排気通路４とを有している。吸気通路３は、吸気弁５を介して燃焼室６に接続されている。排気通路４は、排気弁７を介して燃焼室６に接続されている。
【００１５】
また、内燃機関１は、燃焼室６内に燃料を直接噴射する第１燃料噴射弁８と、吸気弁５上流側の吸気通路３内に燃料を噴射する第２燃料噴射弁９と、を有している。
【００１６】
第１燃料噴射弁８は、１燃焼サイクル中に複数回の燃料噴射を行う多段噴射が実施可能なものである。
【００１７】
第２燃料噴射弁９は、本実施例では、例えば、後述する第１運転領域Ａの中でも高回転高負荷の限られた運転領域において補助的に燃料を噴射するものである。
【００１８】
第１燃料噴射弁８及び第２燃料噴射弁９から噴射された燃料は、燃焼室６内で点火プラグ１０により点火される。
【００１９】
また、内燃機関１は、駆動ユニットとしてのモータ１１から駆動力の付与が可能な構成となっている。このモータ１１は、モータ用バッテリ１２の電力で駆動可能なものであり、発電が可能なものである。
【００２０】
内燃機関１に接続された吸気通路３には、吸気中の異物を捕集するエアクリーナ１３と、吸入空気量を検出するエアフローメータ１４と、電動の第１スロットル弁１５と、第１スロットル弁１５の上流側に位置する電動の第２スロットル弁１６と、が設けられている。
【００２１】
エアフローメータ１４は、第２スロットル弁１６の上流側に配置されている。エアフローメータ１４は、温度センサを内蔵したものであって、吸気導入口の吸気温度を検出可能となっている。
【００２２】
エアクリーナ１３は、エアフローメータ１４の上流側に配置されている。
【００２３】
第１スロットル弁１５は、負荷に応じて内燃機関１の吸入空気量を制御する。第２スロットル弁１６は、後述するコンプレッサ２２の上流側における吸気圧力を制御する。
【００２４】
内燃機関１に接続された排気通路４には、三元触媒等の上流側排気触媒１７と、三元触媒等の下流側排気触媒１８と、三元触媒等の床下触媒１９と、排気音を低減する消音用のマフラー２０と、が設けられている。
【００２５】
下流側排気触媒１８は、上流側排気触媒１７の下流側となり、床下触媒１９よりも上流側となる位置に配置されている。床下触媒１９は、下流側排気触媒１８の下流側に配置されている。マフラー２０は、床下触媒１９の下流側に配置されている。
【００２６】
また、この内燃機関１は、ターボ過給機２１を有している。
【００２７】
ターボ過給機２１は、吸気通路３に設けられたコンプレッサ２２と、排気通路４に設けられたタービン２３と、を有している。コンプレッサ２２とタービン２３は、同軸上に配置され、一体となって回転する。コンプレッサ２２は、第１スロットル弁１５の上流側となり、第２スロットル弁１６よりも下流側となる位置に配置されている。タービン２３は、上流側排気触媒１７よりも上流側に配置されている。
【００２８】
吸気通路３には、第１スロットル弁１５の下流側に、コンプレッサ２２により圧縮（加圧）された吸気を冷却し、充填効率を良くするインタクーラ２４が設けられている。
【００２９】
インタクーラ２４は、インタクーラ用のラジエータ（インタクーラ用ラジエータ）２５及び電動ポンプ２６とともにインタクーラ用冷却経路（サブ冷却経路）２７に配置されている。インタクーラ２４には、ラジエータ２５によって冷却された冷媒（冷却水）が供給可能となっている。
【００３０】
インタクーラ用冷却経路２７は、経路内を冷媒が循環可能となるように構成されている。インタクーラ用冷却経路２７は、内燃機関１のシリンダブロック２８を冷却する冷却水が循環する図示しないメイン冷却経路とは独立した冷却経路である。
【００３１】
ラジエータ２５は、インタクーラ用冷却経路２７内の冷媒を外気との熱交換で冷却する。
【００３２】
電動ポンプ２６は、駆動することによってラジエータ２５とインタクーラ２４との間で冷媒を矢印Ａ方向に循環させるものである。
【００３３】
排気通路４には、タービン２３を迂回してタービン２３の上流側と下流側とを接続する排気バイパス通路３１が接続されている。排気バイパス通路３１の下流側端は、上流側排気触媒１７よりも上流側の位置で排気通路４に接続されている。排気バイパス通路３１には、排気バイパス通路３１内の排気流量を制御する電動のウエストゲート弁３２が配置されている。
【００３４】
また、内燃機関１は、排気通路４から排気ガスの一部をＥＧＲガスとして吸気通路３へ導入（還流）する排気還流（ＥＧＲ）が実施可能なものであって、排気通路４から分岐して吸気通路３に接続されたＥＧＲ通路３３を有している。ＥＧＲ通路３３は、その一端が下流側排気触媒１８と床下触媒１９との間の位置で排気通路４に接続され、その他端が第２スロットル弁１６の下流側となりコンプレッサ２２の上流側となる位置で吸気通路３に接続されている。このＥＧＲ通路３３には、ＥＧＲ通路３３内のＥＧＲガス流量を調整（制御）する電動のＥＧＲ弁３４と、ＥＧＲガスを冷却可能なＥＧＲクーラ３５と、が設けられている。
【００３５】
内燃機関１は、機関弁の動弁機構として、吸気弁５のバルブタイミング（開閉時期）を変更可能な吸気側可変動弁機構３８と、排気弁７のバルブタイミング（開閉時期）を変更可能な排気側可変動弁機構３９と、を有している。なお、本明細書内においては、機関弁を吸気弁５と排気弁７の総称として用いている。吸気側可変動弁機構３８及び排気側可変動弁機構３９は、例えば油圧駆動されるものであって、コントロールユニット４０からの制御信号によって制御される。つまり、コントロールユニット４０は、吸気側可変動弁機構３８を制御する吸気側可変動弁機構制御部（制御部）に相当するものである。また、コントロールユニット４０は、排気側可変動弁機構３９を制御する排気側可変動弁機構制御部（制御部）に相当するものである。そして、コントロールユニット４０によって、吸気弁５のバルブタイミングと排気弁７のバルブタイミングを可変制御することが可能となっている。
【００３６】
吸気側可変動弁機構３８及び排気側可変動弁機構３９は、機関弁（吸気弁５または排気弁７）の開時期及び閉時期を個々に独立して変更できる形式のものでも、開時期及び閉時期が同時に遅進する形式のものでもよい。本実施例の吸気側可変動弁機構３８及び排気側可変動弁機構３９は、カムシャフト４１、４２のクランクシャフト４３に対する位相を遅進させる後者の形式のものが用いられている。また、吸気側可変動弁機構３８及び排気側可変動弁機構３９は、油圧駆動されるものに限定されるものではなく、モータ等による電動駆動のものであってもよい。
【００３７】
吸気弁５の実際のバルブタイミングは、吸気バルブタイミング検出部としての吸気側カムシャフトポジションセンサ４４によって検出される。吸気側カムシャフトポジションセンサ４４は、吸気側カムシャフト４１のクランクシャフト４３に対する位相を検出するものである。
【００３８】
排気弁７の実際のバルブタイミングは、排気バルブタイミング検出部としての排気側カムシャフトポジションセンサ４５によって検出される。排気側カムシャフトポジションセンサ４５は、排気側カムシャフト４２のクランクシャフト４３に対する位相を検出するものである。
【００３９】
ここで、コントロールユニット４０は、ＣＰＵ、ＲＯＭ、ＲＡＭ及び入出力インターフェースを備えた周知のデジタルコンピュータである。
【００４０】
コントロールユニット４０には、上述したエアフローメータ１４、排気側カムシャフトポジションセンサ４５の検出信号（検出値）のほか、クランクシャフト４３のクランク角度と共に機関回転数を検出可能なクランク角センサ４６、内燃機関１の要求負荷状態を表すアクセルペダル踏み込み量（アクセル開度ＡＰＯ）を検出するアクセル開度センサ４７、冷却水温度を検出する水温センサ４８、エンジンオイルの油温を検出する油温センサ４９、吸気の湿度を検出する湿度センサ５０等のセンサ類の検出信号（検出値）が入力されている。
【００４１】
水温センサ４８は、シリンダブロック２８内のウォータジャケット６１を流れる冷却水温度を検出可能なものである。
【００４２】
コントロールユニット４０は、アクセル開度センサ４７の検出値を用いて、内燃機関１の要求負荷（エンジン負荷）を算出する。
【００４３】
また、コントロールユニット４０は、点火プラグ１０に電力を供給する車載のバッテリ６２の充電容量に対する充電残量の比率であるＳＯＣ（Ｓｔａｔｅ  Ｏｆ  Ｃｈａｒｇｅ）を検出可能となっている。つまり、コントロールユニット４０はバッテリＳＯＣ検出部に相当する。
【００４４】
そして、コントロールユニット４０は、各種センサ類の検出信号に基づいて、第１燃料噴射弁８、第２燃料噴射弁９による燃料噴射量及び燃料噴射時期、点火プラグ１０による点火時期、点火プラグ１０の点火エネルギー、吸気弁５のバルブタイミング、排気弁７のバルブタイミング、第１スロットル弁１５の開度、第２スロットル弁１６の開度、ウエストゲート弁３２の開度、ＥＧＲ弁３４の開度、可変圧縮比機構２による内燃機関１の機械的圧縮比等を最適に制御している。
【００４５】
また、コントロールユニット４０は、運転状態に応じて、内燃機関１の空燃比を制御している。詳述すると、図２に示すように、所定の第１運転領域Ａでは空燃比が理論空燃比となるように制御し、低回転低負荷側の所定の第２運転領域Ｂでは、第１運転領域Ａよりも希薄な空燃比となるよう制御する。
【００４６】
換言すると、内燃機関１の運転状態が低回転低負荷側の第２運転領域Ｂ以外の領域（第１運転領域）では、空気過剰率λがλ＝１となるように目標空燃比を設定する。また、内燃機関１の運転状態が第２運転領域Ｂでは、空気過剰率λが例えばλ＝２程度となるように目標空燃比を設定する。
【００４７】
図２は、コントロールユニット４０に記憶された空燃比マップであって、エンジン負荷とエンジン回転数に応じて空燃比が割り付けられている。
【００４８】
このような空燃比制御を行う内燃機関１は、空燃比が希薄となるような運転領域において燃焼のロバスト性が弱く、環境変化、部品ばらつき、気筒間のばらつき等を考慮すると過渡時に厳密な燃焼制御が必要となる。
【００４９】
吸気弁開弁期間と排気弁開弁期間とが重なり合うバルブオーバーラップの期間（バルブオーバーラップ量）が無い場合でも、排気弁閉時期が上死点後のタイミングになると、内部ＥＧＲ（残留ガス）が過多となり、燃焼安定性が低下する。
【００５０】
そして、バルブオーバーラップ量の目標値とバルブオーバーラップ量の実際値との偏差に着目して過渡時の制御を実施する場合、バルブオーバーラップ量の実際値には、吸気弁側の動弁機構のばらつきと排気弁側の動弁機構のばらつきとが含まれることになる。そのため、これらのばらつきを踏まえたマージンを設定する必要があり、内部ＥＧＲ（残留ガス）が過多となる可能性がある。
【００５１】
また、吸気弁と排気弁のどちらかの動弁機構に油圧駆動式の可変動弁機構がされている場合、外気温度環境によりバルブオーバーラップ量の変化が緩慢になる。そのため、バルブオーバーラップ量を用いて空燃比を制御しようとすると、空気過剰率λがλ＝２程度となる運転領域から空気過剰率λがλ＝１程度となる運転領域に運転状態が移行するような場合に、空気過剰率λがλ＝１とλ＝２の中間の値となる時間が長くなり、ＮＯｘの排出量が増大する場合がある。
【００５２】
そこで、本実施例は、ストイキよりもリーンとなる空燃比で燃焼（希薄燃焼）を行う内燃機関１において、過渡時の燃焼不安定を抑制して排気性能の悪化を抑制するとともに、希薄燃焼による燃費低減の信頼性向上を図る。
【００５３】
第１運転領域（ストイキ運転領域）Ａでは、所定の第１噴射モード（ストイキ用噴射モード）で第１燃料噴射弁８が筒内に直接燃料を噴射するとともに、所定の第１点火モード（ストイキ用点火モード）で点火プラグ１０が筒内の混合気に点火する。
【００５４】
第１噴射モードでは、１燃焼サイクル中に１回の燃料噴射を行う単段噴射を実施する。
【００５５】
吸気弁５は、第１運転領域Ａにおいて、吸気弁開時期が上死点よりも遅角側となる第１吸気バルブタイミング（ストイキ用吸気バルブタイミング）に制御される。つまり、コントロールユニット４０は吸気弁５のバルブタイミングと空燃比を運転状態に応じて切り替える制御部に相当する。
【００５６】
排気弁７は、第１運転領域Ａにおいて、排気弁閉時期が例えば上死点後１０°ＣＡ程度となる第１排気バルブタイミング（ストイキ用排気バルブタイミング）に制御される。つまり、コントロールユニット４０は排気弁７のバルブタイミングと空燃比を運転状態に応じて切り替える制御部に相当する。
【００５７】
第２運転領域（リーン運転領域）Ｂでは、第１噴射モードより混合気の均一度が高くなる所定の第２噴射モード（リーン用噴射モード）で第１燃料噴射弁８が筒内に直接燃料を噴射するとともに、第１点火モードよりも点火エネルギーが強化された所定の第２点火モード（リーン用点火モード）で点火プラグ１０が筒内の混合気を点火する。
【００５８】
第２噴射モードでは、１燃焼サイクル中に複数回の燃料噴射を行う多段噴射を実施する。
【００５９】
第２点火モードでは、点火プラグ１０に供給する電力が、第１点火モードのときよりも大きくなり、点火エネルギーが相対的に強化される。
【００６０】
吸気弁５は、第２運転領域Ｂにおいて、吸気弁開時期が上死点よりも進角側となる第２吸気バルブタイミング（リーン用吸気バルブタイミング）に制御される。
【００６１】
換言すると、吸気弁５は、第２運転領域Ｂでは、吸気弁開時期が上記第１吸気バルブタイミングよりも進角した第２吸気バルブタイミングに制御される。
【００６２】
排気弁７は、第２運転領域Ｂにおいて、内部ＥＧＲ（残留ガス）が少なくなるように、排気弁閉時期が上死点となる第２排気バルブタイミング（リーン用排気バルブタイミング）に制御される。
【００６３】
換言すると、排気弁７は、第２運転領域Ｂでは、排気弁閉時期が上記第１排気バルブタイミングよりも進角した第２排気バルブタイミングに制御される。
【００６４】
図３は、排気弁閉時期と内部ＥＧＲ（残留ガス）の相関を模式的に示した説明図である。内部ＥＧＲ（残留ガス）は、排気弁閉時期が上死点後に遅角するほど増加する。
【００６５】
そのため、第１運転領域Ａにおける排気弁７の排気弁閉時期は、上死点後１０°ＣＡ以上となるように設定して燃費を向上させるようにしてもよい。また、第２運転領域Ｂにおける排気弁７の排気弁閉時期は、上死点から上死点後１０°ＣＡの間となるように設定しても、燃焼が不安定となることを抑制することができる。つまり、第２排気バルブタイミングは、排気弁閉時期を内部ＥＧＲ（残留ガス）が許容限界値Ｌを越えない範囲に設定してもよい。
【００６６】
本実施例では、所定の希薄燃焼前提条件の成立が空燃比を上記希薄な空燃比へ切り替えるための前提条件となっている。つまり、上記希薄燃焼前提条件が成立していなければ、運転状態が第２運転領域Ｂになっても、空燃比が上記所定の空燃比に維持される。
【００６７】
例えば、吸気温度が所定温度以上、湿度が所定湿度以上、冷却水温度が所定温度以上、等であり、かつ可変動弁機構等のデバイスが正常に駆動できる状態であるとき、上記希薄燃焼前提条件が成立しているものと判定する。
【００６８】
上記希薄燃焼前提条件が成立しているか否かの判定は、内燃機関１の始動後、所定の一定間隔毎にコントロールユニット４０内で実施される。従って、第１運転領域Ａから第２運転領域Ｂに運転状態が切り替わる場合には、上記希薄燃焼前提条件の最新（直近）の判定結果を用いて、空燃比切り換えの可否を判定する。
【００６９】
上記希薄燃焼前提条件が成立した状態で第１運転領域Ａから第２運転領域Ｂに運転状態が切り替わる場合には、所定の希薄燃焼許可条件が成立すると、希薄燃焼が実施可能な状態であると判断して空燃比を上記希薄な空燃比へ切り替える。
【００７０】
例えば、吸気弁５の実際のバルブタイミングが第２吸気バルブタイミングとなり、排気弁７の実際のバルブタイミングが第２排気バルブタイミングとなると上記希薄燃焼許可条件が成立しているものと判定する。この判定は、コントロールユニット４０内で実施される。
【００７１】
第１運転領域Ａから第２運転領域Ｂに運転状態が切り替わる場合、吸気弁５のバルブタイミングは、第１運転領域Ａから第２運転領域Ｂに運転状態が切り替わるタイミングで第２吸気バルブタイミングに向かって変化し始める。
【００７２】
第１運転領域Ａから第２運転領域Ｂに運転状態が切り替わる場合、排気弁７のバルブタイミングは、第１運転領域Ａから第２運転領域Ｂに運転状態が切り替わるタイミングで第２排気バルブタイミングに向かって変化し始める。
【００７３】
そして、上記希薄燃焼前提条件が成立した状態であれば、吸気弁５の実際のバルブタイミングが第２吸気バルブタイミングになるとともに、排気弁７の実際のバルブタイミングが第２排気バルブタイミングとなってから第１所定時間Ｔ１が経過した後に空燃比を上記希薄な空燃比へと切り替える。
【００７４】
第１運転領域Ａから第２運転領域Ｂに運転状態が切り替わる場合、噴射モードは、吸気弁５の実際のバルブタイミングが第１吸気バルブタイミングから第２吸気バルブタイミングに切り替わり、かつ排気弁７の実際のバルブタイミングが第１排気バルブタイミングから第２排気バルブタイミングに切り替わると、第１噴射モードから第２噴射モードに切り替えられる。
【００７５】
第１運転領域Ａから第２運転領域Ｂに運転状態が切り替わる場合、点火モードは、吸気弁５の実際のバルブタイミングが第２吸気バルブタイミングとなり、かつ排気弁７の実際のバルブタイミングが第２排気バルブタイミングになると、第１点火モードから第２点火モードに切り替えられる。
【００７６】
第２運転領域Ｂから第１運転領域Ａに運転状態が切り替わる場合には、空燃比をストイキとなるように切り替えてから第２所定時間Ｔ２が経過した後に、吸気弁５のバルブタイミングを第１吸気バルブタイミングに切り替え、排気弁７のバルブタイミングを第１排気バルブタイミングに切り替え、第２噴射モードを第１噴射モードに切り替え、かつ第２点火モードを第１点火モードに切り替える。
【００７７】
第１所定時間Ｔ１は、吸気弁５のバルブタイミングが第２吸気バルブタイミングになるとともに、排気弁７のバルブタイミングが第２排気バルブタイミングとなるタイミングで算出する。つまり、第１所定時間Ｔ１は、吸気弁５及び排気弁７の双方のバルブタイミングがリーン用のバルブタイミングとなったタイミングで算出される。
【００７８】
この第１所定時間Ｔ１は、例えば、吸気弁５及び排気弁７の双方のバルブタイミングがリーン用のバルブタイミングとなったタイミングにおける機関回転数と負荷に応じて決定される。
【００７９】
第２所定時間Ｔ２は、運転状態が第２運転領域Ｂから第１運転領域Ａに切り替わったタイミングで算出する。この第２所定時間Ｔ２は、運転状態が第２運転領域Ｂから第１運転領域Ａに切り替わったタイミングで算出される噴射モードの切り替えディレイ時間Ｔ２ｉと、点火モードの切り替えディレイ時間Ｔ２ｅと、吸気弁５のバルブタイミングの切り替えディレイ時間Ｔ２ｖと、排気弁７のバルブタイミングの切り替えディレイ時間Ｔ２ｗと、のうちの最も大きな値である。各ディレイ時間Ｔ２ｉ、Ｔ２ｅ、Ｔ２ｖ、Ｔ２ｗは、それぞれ例えば、運転状態が第２運転領域Ｂから第１運転領域Ａに切り替わったタイミングにおける機関回転数と負荷に応じて決定される。なお、ディレイ時間Ｔ２ｉ、Ｔ２ｅ、Ｔ２ｖ、Ｔ２ｗは、運転状態が第２運転領域Ｂから第１運転領域Ａに切り替わったタイミングから空燃比がストイキに切り替わるまでの時間よりも長くなっている。
【００８０】
図４は、空燃比の切り替えを説明するタイミングチャートである。図４は、第２運転領域Ｂから第１運転領域Ａに運転状態が変化し、その後第１運転領域Ａから第２運転領域Ｂに運転状態が変化した場合を示している。
【００８１】
時刻ｔ１のタイミングで、内燃機関１の運転状態が第２運転領域Ｂから第１運転領域Ａに切り替わっている。なお、時刻ｔ１に先だって、上記希薄燃焼前提条件が成立していると判定されている。
【００８２】
空燃比の切り替え指令（空燃比モード指令）は、時刻ｔ１のタイミングでリーンからストイキへの切り替え指令を出している。そのため、内燃機関１の空燃比は、時刻ｔ１のタイミングで切り替えが開始される。時刻ｔ２は、時刻ｔ１のタイミングで切り替えが開始された空燃比の切り替えの終了したタイミングである。
【００８３】
吸気弁５は、時刻ｔ１のタイミングから第２所定時間Ｔ２が経過した時刻ｔ３のタイミングで第２吸気バルブタイミングから第１吸気バルブタイミングへ切り替えが開始される。
【００８４】
このように、空燃比がリーンからストイキに切り替わる際には、空燃比がストイキに切り替わるまで吸気弁５のバルブタイミングを第２吸気バルブタイミングに維持する。
【００８５】
これによって、内燃機関１の運転状態が切り替わり、空燃比がリーンからストイキに切り替わる場面において、吸気弁開弁時期と排気弁開弁時期とのバルブオーバーラップ量を小さくすることが可能となり、内部ＥＧＲ（残留ガス）が抑制され、安定的な希薄燃焼を実施することが可能となる。
【００８６】
排気弁７は、時刻ｔ１のタイミングから第２所定時間Ｔ２が経過した時刻ｔ３のタイミングで第２排気バルブタイミングから第１排気バルブタイミングへ切り替えが開始される。
【００８７】
このように、空燃比がリーンからストイキに切り替わる際には、空燃比がストイキに切り替わるまで、内部ＥＧＲ（残留ガス）が少ない第２排気バルブタイミングを維持する。
【００８８】
これによって、内燃機関１の運転状態が切り替わり、空燃比がリーンからストイキに切り替わる場面において、確実に着火させることが可能となる。そのため、空燃比をリーンからストイキに切り替える際に、失火することなく機能信頼性を確保でき、排気性能及び燃費性能の改善を図ることができる。
【００８９】
第１燃料噴射弁８は、時刻ｔ１のタイミングから第２所定時間Ｔ２が経過した時刻ｔ３のタイミングで噴射モードが第２噴射モードから第１噴射モードに切り替えられる。
【００９０】
点火プラグ１０は、時刻ｔ１のタイミングから第２所定時間Ｔ２が経過した時刻ｔ３のタイミングで点火モードが第２点火モードから第１点火モードに切り替えられる。
【００９１】
このように、空燃比がリーンからストイキに切り替わる際には、空燃比がストイキに切り替わるまで、混合気の均一度が相対的に高くなる第２噴射モードを維持するとともに、点火エネルギーが強化された第２点火モードを維持する。
【００９２】
これによって、内燃機関１の運転状態が切り替わり、空燃比がリーンからストイキに切り替わる場面において、確実に着火させることが可能となる。そのため、空燃比をリーンからストイキに切り替える際に、失火することなく機能信頼性を確保でき、排気性能及び燃費性能の改善を図ることができる。
【００９３】
時刻ｔ４のタイミングで、内燃機関１の運転状態が第１運転領域Ａから第２運転領域Ｂに切り替わっている。
【００９４】
吸気弁５は、時刻ｔ４のタイミングで第１吸気バルブタイミングから第２吸気バルブタイミングへ切り換えが開始される。
【００９５】
これによって、内燃機関１の運転状態が切り替わり、空燃比がストイキからリーンからに切り替わる場面において、吸気弁開弁時期と排気弁開弁時期とのバルブオーバーラップ量を小さくすることが可能となり、内部ＥＧＲ（残留ガス）が抑制され、安定的な希薄燃焼を実施することが可能となる。
【００９６】
排気弁７は、時刻ｔ４のタイミングで第１排気バルブタイミングから第２排気バルブタイミングへ切り換えが開始される。
【００９７】
このように、空燃比がストイキからリーンに切り替わる際には、空燃比の切り替えを開始する前に、バルブタイミングを内部ＥＧＲ（残留ガス）が少ない第２排気バルブタイミングに切り替える。
【００９８】
これによって、内燃機関１の運転状態が切り替わり、空燃比がストイキからリーンに切り替わる場面において、確実に着火させることが可能となる。そのため、空燃比をストイキからリーンに切り替える際に、失火することなく機能信頼性を確保でき、排気性能及び燃費性能の改善を図ることができる。
【００９９】
時刻ｔ５は、吸気弁５が第２吸気バルブタイミングとなり、排気弁７が第２排気バルブタイミングとなったタイミングである。なお、時刻ｔ５においては、上記希薄燃焼前提条件の最新（直近）の判定結果が条件成立となっているものとする。
【０１００】
空燃比の切り替え指令（空燃比モード指令）は、時刻ｔ５から第１所定時間Ｔ１が経過した時刻ｔ６のタイミングでストイキからリーンへの切り替え指令を出している。そのため、内燃機関１の空燃比は、時刻ｔ６のタイミングで切り替えが開始される。時刻ｔ７は、時刻ｔ６のタイミングで切り替えが開始された空燃比の切り替えの終了したタイミングである。
【０１０１】
第１燃料噴射弁８は、時刻ｔ５のタイミングで噴射モードが第１噴射モードから第２噴射モードに切り替えられる。
【０１０２】
点火プラグ１０は、時刻ｔ５のタイミングで点火モードが第１点火モードから第２点火モードに切り替えられる。
【０１０３】
このように、空燃比がストイキからリーンに切り替わる際には、空燃比の切り替えを開始する前に、噴射モードを混合気の均一度が相対的に高くなる第２噴射モードに切り替えるとともに、点火モードを点火エネルギーが強化された第２点火モードに切り替える。
【０１０４】
これによって、内燃機関１の運転状態が切り替わり、空燃比がストイキからリーンに切り替わる場面において、確実に着火させることが可能となる。そのため、空燃比をストイキからリーンに切り替える際に、失火することなく機能信頼性を確保でき、排気性能及び燃費性能の改善を図ることができる。
【０１０５】
図５は、上述した内燃機関１の制御の流れを示すフローチャートである。
【０１０６】
ステップＳ１では、上記希薄燃焼前提条件が成立しているか否かを判定する。ステップＳ１にて上記希薄燃焼前提条件が成立していると判定された場合には、Ｓ２へ進む。
【０１０７】
ステップＳ１にて上記希薄燃焼前提条件が成立していないと判定されると、希薄燃焼を実施不可とし、今回のルーチンを終了する。ステップＳ１にて希薄燃焼が実施不可と判定されると、内燃機関１は、運転状態にかかわらず空燃比を理論空燃比とする運転を実施する。
【０１０８】
ステップＳ２では、内燃機関１の運転状態が第１運転領域Ａから第２運転領域Ｂに切り替わったか否かを判定する。ステップＳ２にて内燃機関１の運転状態が第１運転領域Ａから第２運転領域Ｂに切り替わったと判定された場合には、ステップＳ３に進む。ステップＳ２にて内燃機関１の運転状態が第１運転領域Ａから第２運転領域Ｂに切り替わっていないと判定された場合には、ステップＳ９に進む。
【０１０９】
ステップＳ３では、バルブタイミングを変更する。すなわち、ステップＳ３では、吸気弁５のバルブタイミング及び排気弁７のバルブタイミングをそれぞれリーン用のバルブタイミングに変更する。
【０１１０】
ステップＳ４では、上記希薄燃焼許可条件が成立しているか否かを判定する。ステップＳ４にて上記希薄燃焼許可条件が成立していると判定された場合には、ステップＳ５へ進む。ステップＳ４にて上記希薄燃焼許可条件が成立していない判定された場合には、ステップＳ３へ進む。
【０１１１】
ステップＳ５では、噴射モード、点火モード及びバルブタイミングの変更を開始する。
【０１１２】
ステップＳ６では、吸気弁５及び排気弁７のバルブタイミングがリーン用のバルブタイミングに切り替わったタイミングで第１所定時間Ｔ１を算出する。
【０１１３】
ステップＳ７では、吸気弁５及び排気弁７のバルブタイミングがリーン用のバルブタイミングに切り替わってから第１所定時間Ｔ１が経過したか否かを判定する。ステップＳ７にてリーン用のバルブタイミングに切り替わってから第１所定時間Ｔ１が経過したと判定されるとステップＳ８へ進む。
【０１１４】
ステップＳ８では、空燃比のストイキからリーンに切り替える。
【０１１５】
ステップＳ９では、内燃機関１の運転状態が第２運転領域Ｂから第１運転領域Ａに切り替わったか否かを判定する。ステップＳ９にて内燃機関１の運転状態が第２運転領域Ｂから第１運転領域Ａに切り替わったと判定された場合には、ステップＳ１０に進む。ステップＳ９にて内燃機関１の運転状態が第２運転領域Ｂから第１運転領域Ａに切り替わっていないと判定された場合には、内燃機関１の運転状態に変化はないとして今回のルーチンを終了する。
【０１１６】
ステップＳ１０では、運転状態が第２運転領域Ｂから第１運転領域Ａに切り替わったタイミングで空燃比の切り替えを開始する。
【０１１７】
ステップＳ１１では、運転状態が第２運転領域Ｂから第１運転領域Ａに切り替わったタイミングで、点火モードの切り替えディレイ時間Ｔ２ｅを算出する。
【０１１８】
ステップＳ１２では、運転状態が第２運転領域Ｂから第１運転領域Ａに切り替わったタイミングで、噴射モードの切り替えディレイ時間Ｔ２ｉを算出する。
【０１１９】
ステップＳ１３では、運転状態が第２運転領域Ｂから第１運転領域Ａに切り替わったタイミングで、吸気弁５のバルブタイミングの切り替えディレイ時間Ｔ２ｖ及び排気弁７のバルブタイミングの切り替えディレイ時間Ｔ２ｗを算出する。
【０１２０】
ステップＳ１４では、点火モードの切り替えディレイ時間Ｔ２ｅ、噴射モードの切り替えディレイ時間Ｔ２ｉ及びバルブタイミングの切り替えディレイ時間Ｔ２ｖ、Ｔ２ｗのうち最長のものを第２所定時間Ｔ２とする。
【０１２１】
ステップＳ１５にて運転状態が切り替わってから第２所定時間Ｔ２が経過したと判定されるとステップＳ１６へ進む。
【０１２２】
ステップＳ１６は、運転状態が切り替わってから第２所定時間Ｔ２が経過したタイミングで噴射モード、点火モード、吸気弁５のバルブタイミング及び排気弁７のバルブタイミングの変更を開始する。
【０１２３】
なお、内部ＥＧＲ（残留ガス）に及ぼす影響は、排気弁７の閉時期のほうが吸気弁の開時期よりも大きくなる。そこで、第１運転領域Ａから第２運転領域Ｂに運転状態が切り替わる場合に、排気弁７の実際のバルブタイミングが第１排気バルブタイミングから第２排気バルブタイミングに切り替わったタイミングから第１所定時間Ｔ１が経過したタイミングで空燃比をストイキからリーンに切り替えるようにしても、過渡時の内部ＥＧＲ（残留ガス）を相対的に低減可能である。
【０１２４】
吸気弁５のバルタイミングや排気弁７のバルブタイミングは、環境による影響や可動部品の劣化や摩耗等によりずれが生じる場合がある。つまり、実際のバルブタイミングと、バルブタイミングの目標値との間に乖離が生じると、希薄燃焼が許可されなくなる虞がある。そこで、バルブタイミングの補正学習を適宜実施し、経時劣化等によるバルブタイミングのずれを補正するようにしてもよい。バルブタイミングの補正学習は、例えば、水温や外気温度が所定温度以上である等の一定の学習条件が成立している時に実施すればよい。
【０１２５】
また、吸気弁側の動弁機構は、一般的な直動式の動弁機構とすることも可能である。この場合、吸気弁５のリフト作動角やリフト中心角の位相は、常に一定と
なお、上述した実施例は、内燃機関１の制御方法及び内燃機関１の制御装置に関するものである。
【図１】
2019142226.tif 000003
【図２】
2019142226.tif 000004
【図３】
2019142226.tif 000005
【図４】
2019142226.tif 000006
【図５】
2019142226.tif 000007
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
所定の空燃比で運転する第１運転領域では、排気弁のバルブタイミングが第１排気バルブタイミングに設定されるとともに、吸気弁のバルブタイミングが第１吸気バルブタイミングに設定され、
所定の空燃比よりも希薄な空燃比で運転する第２運転領域では、上記排気弁のバルブタイミングが上記第１排気バルブタイミングよりも進角した第２排気バルブタイミングに設定されるとともに、上記吸気弁のバルブタイミングが上記第１吸気バルブタイミングよりも進角した第２吸気バルブタイミングに設定され、
上記第１運転領域から上記第２運転領域に運転状態が切り替わる際には、上記排気弁の実際のバルブタイミングが上記第２排気バルブタイミングになり、かつ上記吸気弁の実際のバルブタイミングが上記第２吸気バルブタイミングになってから空燃比を切り替える内燃機関の制御方法。
【請求項２】
上記第２吸気バルブタイミングにおける吸気弁開時期は、上死点よりも進角側となるタイミングとなるよう設定される請求項１に記載の内燃機関の制御方法。
【請求項３】
所定の空燃比で運転する第１運転領域では、排気弁のバルブタイミングが第１排気バルブタイミングに設定され、
所定の空燃比よりも希薄な空燃比で運転する第２運転領域では、上記排気弁のバルブタイミングが上記第１排気バルブタイミングよりも進角した第２排気バルブタイミングに設定され、
上記第１運転領域から上記第２運転領域に運転状態が切り替わる際には、上記排気弁の実際のバルブタイミングが上記第２排気バルブタイミングとなってから空燃比を切り替え、
上記第２排気バルブタイミングにおける排気弁閉時期は、上死点から上死点後１０°ＣＡ以下の範囲に設定される内燃機関の制御方法。
【請求項４】
所定の空燃比で運転する第１運転領域では、排気弁のバルブタイミングが第１排気バルブタイミングに設定され、
所定の空燃比よりも希薄な空燃比で運転する第２運転領域では、上記排気弁のバルブタイミングが上記第１排気バルブタイミングよりも進角した第２排気バルブタイミングに設定され、
上記第１運転領域から上記第２運転領域に運転状態が切り替わる際には、上記排気弁の実際のバルブタイミングが上記第２排気バルブタイミングとなってから空燃比を切り替え、
上記第２運転領域から上記第１運転領域に運転状態が切り替わる際には、空燃比を上記所定の空燃比に切り替えた後に、上記排気弁のバルブタイミングを上記第１排気バルブタイミングに切り替える内燃機関の制御方法。
【請求項５】
所定の空燃比で運転する第１運転領域では、排気弁のバルブタイミングが第１排気バルブタイミングに設定され、
所定の空燃比よりも希薄な空燃比で運転する第２運転領域では、上記排気弁のバルブタイミングが上記第１排気バルブタイミングよりも進角した第２排気バルブタイミングに設定され、
上記第１運転領域から上記第２運転領域に運転状態が切り替わる際には、上記排気弁の実際のバルブタイミングが上記第２排気バルブタイミングとなってから空燃比を切り替え、
上記第２運転領域から上記第１運転領域に運転状態が切り替わる際には、空燃比を上記所定の空燃比に切り替えた後に、上記排気弁のバルブタイミングを上記第１排気バルブタイミングに切り替え、吸気弁のバルブタイミングを上記第１運転領域で設定される第１吸気バルブタイミングに切り替える内燃機関の制御方法。
【請求項６】
排気弁のバルブタイミングを変更可能な排気側可変動弁機構と、
上記排気弁のバルブタイミングを検出可能な排気バルブタイミング検出部と、
上記排気弁のバルブタイミングと空燃比を運転状態に応じて切り替える制御部と、を有し、
上記制御部は、所定の空燃比で運転する第１運転領域から所定の空燃比よりも希薄な空燃比で運転する第２運転領域に運転状態が切り替わる際には、上記排気弁の実際のバルブタイミングが上記第２運転領域で設定される第２排気バルブタイミングになってから空燃比を切り替え、上記第２運転領域から上記第１運転領域に運転状態が切り替わる際には、空燃比を上記所定の空燃比に切り替えた後に、上記排気弁のバルブタイミングを上記第１運転領域で設定される第１排気バルブタイミングに切り替える内燃機関の制御装置。
【手続補正書】
【提出日】令和2年7月10日(2020.7.10)
【手続補正１】
【補正対象書類名】図面
【補正対象項目名】図４
【補正方法】変更
【補正の内容】
【図４】
2019142226.tif 000008
【国際調査報告】
2019142226.tif 000009
2019142226.tif 000010